(57)【要約】【課題】ユーザー等の生体又は移動体がＲＦＩＤタグを所持することなく又は設置されることなくシステムの情報処理装置を動作させることを可能とすること。【解決手段】タグ通信装置であって、生体又は移動体に所持又は設置される通信タグに対し、生体又は移動体を介してデータの通信を行う第一通信部と、情報処理装置とデータの通信を行う第二通信部と、通信タグ又は情報処理装置から受信されたデータを記憶する記憶部と、記憶部に記憶されたデータを用いて、情報処理装置と通信タグとの通信を中継する制御部と、を備える。【選択図】図１
2011097135.tif 000002
【特許請求の範囲】
【請求項１】
生体又は移動体に所持又は設置される通信タグに対し、生体又は移動体を介してデータの通信を行う第一通信部と、
情報処理装置とデータの通信を行う第二通信部と、
前記通信タグ又は前記情報処理装置から受信されたデータを記憶する記憶部と、
前記記憶部に記憶されたデータを用いて、前記情報処理装置と前記通信タグとの通信を中継する制御部と、
を備えるタグ通信装置。
【請求項２】
前記制御部は、前記情報処理装置から受信されたデータを前記一時記憶部に書き込み、前記情報処理装置からの受信処理と非同期で、前記記憶部に記憶されたデータを前記通信タグに対して前記第一通信部から送信する、ことを特徴とする請求項１に記載のタグ通信装置。
【請求項３】
前記制御部は、前記通信タグから受信されたデータを前記一時記憶部に書き込み、前記受信の処理から所定時間が経過するまでは、前記通信タグとの通信の有無にかかわらず前記情報処理装置３０に対して前記記憶部に記憶されたデータを前記第二通信部から送信する、ことを特徴とする請求項１に記載のタグ通信装置。
【請求項４】
前記制御部は、前記情報処理装置から受信されたデータと、前記通信タグから受信されたデータとを用いて前記通信タグに変わって処理を実行し、前記処理の実行結果を前記情報処理装置に対して前記第二通信部から送信する、ことを特徴とする請求項１に記載のタグ通信装置。
【請求項５】
前記制御部は、前記情報処理装置から受信されたデータを前記通信タグへ送信する処理を実行している場合、所定のタイミングで前記情報処理装置に対し、エラー処理を実行しないことを要求することを特徴とする請求項１に記載のタグ通信装置。
【請求項６】
生体又は移動体に所持又は設置される通信タグに対し、生体又は移動体を介してデータの通信を行う第一通信部と、情報処理装置とデータの通信を行う第二通信部と、前記通信タグ又は前記情報処理装置から受信されたデータを記憶する記憶部と、を備えるタグ通信装置が、前記通信タグ又は前記情報処理装置から受信されたデータを前記記憶部に書き込むステップと、
前記タグ通信装置が、前記記憶部に記憶されたデータを用いて、前記情報処理装置と前記通信タグとの通信を中継するステップと、
を備えるタグ通信方法。
【発明の詳細な説明】
【技術分野】
【０００１】
本発明は、通信タグを用いた通信システムの技術に関する。
【背景技術】
【０００２】
近年、人体や物体の表面に発生する電界を利用した通信技術が提案されている（非特許文献１参照）。このような電界通信の技術を用いることによって、ＩＣカード（ＲＦＩＤタグ）をカードリーダーに近接させるための動作を行うことなく、ユーザーＩＤ等のデータをシステム側へ送信してシステム（例えばドアの解錠システム）を利用することが可能となった（特許文献１参照）。
【先行技術文献】
【特許文献】
【０００３】
【特許文献１】特開２００７−２２６５６０号公報
【非特許文献】
【０００４】
【非特許文献１】“RedTacton”、［online］、［平成２１年７月３１日検索］、インターネット＜URL:http://www.redtacton.com/jp/index.html＞
【発明の概要】
【発明が解決しようとする課題】
【０００５】
しかしながら、特許文献１に開示された技術では、ユーザーはシステムを利用するためには従来のＲＦＩＤタグを所持しなければならなかった。そこで本発明は、ユーザー等の生体又は移動体がＲＦＩＤタグを所持することなく又は設置されることなくシステムの情報処理装置を動作させることを可能とするタグ通信装置及びタグ通信方法を提供することを目的としている。
【課題を解決するための手段】
【０００６】
［１］本発明の一態様は、タグ通信装置であって、生体又は移動体に所持又は設置される通信タグに対し、生体又は移動体を介してデータの通信を行う第一通信部と、情報処理装置とデータの通信を行う第二通信部と、前記通信タグ又は前記情報処理装置から受信されたデータを記憶する記憶部と、前記記憶部に記憶されたデータを用いて、前記情報処理装置と前記通信タグとの通信を中継する制御部と、を備える。
【０００７】
［２］本発明の一態様は、上記のタグ通信装置であって、前記制御部は、前記情報処理装置から受信されたデータを前記一時記憶部に書き込み、前記情報処理装置からの受信処理と非同期で、前記記憶部に記憶されたデータを前記通信タグに対して前記第一通信部から送信する、ことを特徴とする。
【０００８】
［３］本発明の一態様は、上記のタグ通信装置であって、前記制御部は、前記通信タグから受信されたデータを前記一時記憶部に書き込み、前記受信の処理から所定時間が経過するまでは、前記通信タグとの通信の有無にかかわらず前記情報処理装置３０に対して前記記憶部に記憶されたデータを前記第二通信部から送信する、ことを特徴とする。
【０００９】
［４］本発明の一態様は、上記のタグ通信装置であって、前記制御部は、前記情報処理装置から受信されたデータと、前記通信タグから受信されたデータとを用いて前記通信タグに変わって処理を実行し、前記処理の実行結果を前記情報処理装置に対して前記第二通信部から送信する、ことを特徴とする。
【００１０】
［５］本発明の一態様は、上記のタグ通信装置であって、前記制御部は、前記情報処理装置から受信されたデータを前記通信タグへ送信する処理を実行している場合、所定のタイミングで前記情報処理装置に対し、エラー処理を実行しないことを要求することを特徴とする。
【００１１】
［６］本発明の一態様は、タグ通信方法であって、生体又は移動体に所持又は設置される通信タグに対し、生体又は移動体を介してデータの通信を行う第一通信部と、情報処理装置とデータの通信を行う第二通信部と、前記通信タグ又は前記情報処理装置から受信されたデータを記憶する記憶部と、を備えるタグ通信装置が、前記通信タグ又は前記情報処理装置から受信されたデータを前記記憶部に書き込むステップと、前記タグ通信装置が、前記記憶部に記憶されたデータを用いて、前記情報処理装置と前記通信タグとの通信を中継するステップと、を備える。
【発明の効果】
【００１２】
本発明により、ユーザー等の生体又は移動体がＲＦＩＤタグを所持することなく又は設置されることなくシステムの情報処理装置を動作させることを可能となる。
【図面の簡単な説明】
【００１３】
【図１】第一実施形態の通信システムのシステム構成を表すシステム構成図である。
【図２】非同期処理が設定された場合のシーケンス図である。
【図３】代理応答処理が設定された場合のシーケンス図である。
【図４】代理計算処理が設定された場合のシーケンス図である。
【図５】代理遅延処理が設定された場合のシーケンス図である。
【図６】第二実施携帯の通信システムのシステム構成を表すシステム構成図である。
【図７】通信システムの適用例を表す図である。
【発明を実施するための形態】
【００１４】
［第一実施形態］
図１は、第一実施形態の通信システム１ａのシステム構成を表すシステム構成図である。通信システム１ａは、通信タグ１０、タグ通信装置２０ａ、情報処理装置３０を備える。以下、通信システム１ａの各装置について説明する。
【００１５】
通信タグ１０は、人や動物などの生体によって所持され又は自動車や電車などの移動体に設置される。通信タグ１０は、単にデータの読み書きをするようなタグ（ＲＦＩＤ技術におけるＩＣタグ）のように構成されても良いし、ＣＰＵ（Central Processing Unit）等のプロセッサを搭載して演算処理を実行できるようなカード（ＲＦＩＤ技術におけるＩＣカード）のように構成されても良い。通信タグ１０は、タグ通信装置２０ａの第一通信部２１に生体又は移動体の一部が接触することによって、生体又は移動体を介してタグ通信装置２０ａと通信を行う。以下、通信タグ１０の詳細について説明する。
【００１６】
通信タグ１０は、記憶部１１、通信部１２、制御部１３を備える。記憶部１１は、磁気記憶装置や半導体記憶装置などの記憶装置を用いて構成され、情報処理装置３０において用いられるデータや、情報処理装置３０から受信されるデータを記憶する。情報処理装置３０において用いられるデータとは、例えば、通信タグ１０が所持され又は設置される生体又は移動体を一意に識別するための識別情報である。
【００１７】
通信部１２は、制御部１３から受け取るデータに対し変調処理を行うことによって送信信号を生成し、タグ通信装置２０ａに対して送信する。また、通信部１２は、タグ通信装置２０ａから信号を受信し、受信された信号に対し復調処理を行うことによってデータを復元する。以下、通信部１２の具体例について説明する。通信部１２は、変調回路、復調回路、電界誘起回路、電界センサー、電極、絶縁フィルムを備える。電界センサーは、例えばトランジスタやフォトニック電界センサーを用いて構成される。通信部１２は、送信を行う場合には、通信タグ１０が所持され又は設置される生体又は移動体の表面に電界を誘起し、誘起する電界を変化させることによって信号を伝達する。一方、通信部１２は、受信を行う場合には、生体又は移動体の表面に誘起されている電界の変化を検出し、タグ通信装置２０ａから送信された信号を復元し、復元された信号を復調することによってデータを復元する。
【００１８】
制御部１３は、データを送信する場合には、記憶部１１に記憶されるデータを読み出し、読み出されたデータを通信部１２へ送る。一方、制御部１３は、データを受信する場合には、通信部１２によって復元されたデータを記憶部１１に書き込む。
【００１９】
タグ通信装置２０ａは、通信タグ１０からデータを受信すると、受信されたデータを情報処理装置３０へ送信する。タグ通信装置２０ａは、第一通信部２１、制御部２２ａ、一時記憶部２３、第二通信部２４を備える。
【００２０】
第一通信部２１は、制御部２２ａから受け取るデータに対し変調処理を行うことによって送信信号を生成し、通信タグ１０に対して送信する。また、第一通信部２１は、通信タグ１０から信号を受信し、受信された信号に対し復調処理を行うことによってデータを復元する。以下、第一通信部２１の具体例について説明する。第一通信部２１は、変調回路、復調回路、電界誘起回路、電界センサー、電極、絶縁フィルムを備える。電界センサーは、例えばトランジスタやフォトニック電界センサーを用いて構成される。第一通信部２１は、送信を行う場合には、絶縁フィルムを介して電極に触れている生体又は移動体の表面に電界を誘起し、誘起する電界を変化させることによって信号を伝達する。一方、第一通信部２１は、受信を行う場合には、絶縁フィルムを介して電極に触れている生体又は移動体の表面に誘起されている電界の変化を検出し、通信タグ１０から送信された信号を復元し、復元された信号を復調することによってデータを復元する。
【００２１】
制御部２２ａは、第一通信部２１によって受信されたデータを、第二通信部２４を介して情報処理装置３０へ送信する。また、制御部２２ａは、第二通信部２４によって受信されたデータを、第一通信部２１を介して通信タグ１０へ送信する。制御部２２ａは、予め設定される処理方法にしたがって上記の送信処理を行う。制御部２２ａに予め設定される処理方法については後述する。
【００２２】
一時記憶部２３は、磁気記憶装置や半導体記憶装置などの記憶装置を用いて構成され、情報処理装置３０から受信されたデータや通信タグ１０から受信されたデータを記憶する。
【００２３】
第二通信部２４は、既存の通信技術によって情報処理装置３０とデータの送受信を行う。第二通信部２４に適用される通信技術は、ＬＡＮ（Local Area Network）やＵＳＢ（Universal Serial Bus）等の有線通信技術であっても良いし、無線ＬＡＮや赤外線通信等の無線通信技術であっても良い。
【００２４】
情報処理装置３０は、ユーザーとなる生体や移動体に対してサービスを提供するためのシステムや処理を実行するためのシステム等に設けられ、タグ通信装置２０ａを介して通信タグ１０と通信を行い、通信結果に基づいて処理を行う。情報処理装置３０は、どのような装置として実現されても良い。
【００２５】
情報処理装置３０は、例えばドア解錠システムに設けられる装置であっても良い。この場合、情報処理装置３０は施錠可能なドアの付近に設けられ、通信タグ１０に記憶されている識別情報をタグ通信装置２０ａから受信し、識別情報を認証可能であればドアを解錠し、識別情報を認証できない場合はドアの施錠を行う。
【００２６】
また、情報処理装置３０は、例えば改札システムに設けられる装置であっても良い。この場合、情報処理装置３０は駅の改札のゲート毎に設けられる。情報処理装置３０は、通信タグ１０に記憶されている識別情報及び金額情報をタグ通信装置２０ａから受信し、受信された金額情報から所定の金額を差し引く。そして、情報処理装置３０は、タグ通信装置２０ａを介して、差し引き後の金額情報を通信タグ１０に送信する。
【００２７】
また、情報処理装置３０は、例えば改札広告配信システムに設けられる装置であっても良い。この場合、情報処理装置３０は駅の改札のゲート毎に設けられる。情報処理装置３０は、通信タグ１０に記憶されている識別情報をタグ通信装置２０ａから受信し、識別情報に応じて広告データを選択する。そして、情報処理装置３０は、タグ通信装置２０ａを介して、選択された広告データを通信タグ１０に送信する。
【００２８】
図２〜５は、タグ通信装置２０ａの制御部２２ａに予め設定される処理方法の具体例を表すシーケンス図である。制御部２２ａは、設定に応じて非同期処理（図２）、代理応答処理（図３）、代理計算処理（図４）、代理遅延処理（図５）を実行する。なお、制御部２２ａには、上記の処理のうち複数（全部を含む）の処理が同時に設定されても良いしいずれか一つが設定されても良い。以下、図２〜５を用いて各処理方法について説明する。
【００２９】
〔非同期処理〕
図２は、非同期処理が設定された場合のシーケンス図である。非同期処理が設定されると、制御部２２ａは、情報処理装置３０から通信タグ１０宛のデータを受信する処理（受信処理）と、通信タグ１０宛のデータを通信タグ１０へ送信する処理（送信処理）とを非同期で実行する。まず、受信処理について説明する。第二通信部２４が情報処理装置３０からデータを受信すると（ステップＳ１０１）、制御部２２ａは、受信されたデータを一時記憶部２３に書き込む（ステップＳ１０２）。
【００３０】
次に送信処理について説明する。制御部２２ａは、一時記憶部２３に通信タグ１０宛のデータが記憶されているか否か判定する（ステップＳ２０１）。通信タグ１０宛のデータが記憶されていない場合（ステップＳ２０１−ＮＯ）、制御部２２ａは繰り返しステップＳ２０１の判定を行う。通信タグ１０宛のデータが記憶されている場合（ステップＳ２０１−ＹＥＳ）、制御部２２ａは通信タグ１０宛のデータを一時記憶部２３から読み出し、第一通信部２１を介して通信タグ１０へ送信する（ステップＳ２０２）。
【００３１】
次に、制御部２２ａは、ステップＳ２０２において送信したデータについて再送処理が必要か否か判定する（ステップＳ２０３）。再送処理が必要である場合（ステップＳ２０３−ＮＯ）、制御部２３は、一時記憶部２３から同じデータを読み出し、第一通信部２１を介して通信タグ１０へ送信する（ステップＳ２０２）。一方、再送処理が不要である場合（ステップＳ２０３−ＹＥＳ）、制御部２２ａは、ステップＳ２０２で送信したデータを一時記憶部２３から削除し（ステップＳ２０４）、ステップＳ２０１以降の処理を繰り返す。なお、ステップＳ２０３における再送処理の要否はどのように実現されても良い。例えば、ステップＳ２０２のデータ送信処理から所定時間を経過しても通信タグ１０から受信応答（ＡＣＫ等）を受信できない場合に制御部２２ａは再送必要と判断しても良い。
【００３２】
非同期処理を実行することによってタグ通信装置２０ａは以下のような効果を奏する。通信システム１ａでは、情報処理装置３０は従来のＲＦＩＤタグを用いていたシステムにおける情報処理装置３０をそのまま適用することができる。情報処理装置３０がタグ通信装置２０ａを介して通信タグ１０へデータを送信するのに要する時間は、情報処理装置３０が従来のＲＦＩＤタグリーダー／ライターを介してＲＦＩＤタグへデータを送信するのに要した時間よりも長くなる可能性があり、再送の回数も増加する可能性がある。一般的に、従来のＲＦＩＤタグを用いたシステムに適用されていた情報処理装置３０では、ＲＦＩＤタグ技術において送受信に要する時間に基づいて、データを送信する時間間隔が設定されている。そのため、従来のＲＦＩＤシステムに用いられていた情報処理装置３０をそのまま通信システム１ａに適用した場合、上記のような事情により、タグ通信装置２０ａから通信タグ１０への送信処理が完了する前に、新たなデータが情報処理装置３０から送信され、エラーが生じてしまうおそれがある。一方で、タグ通信装置２０ａから通信タグ１０への送信処理が完了するまで情報処理装置３０の送信処理を待機させてしまうと、情報処理装置３０における処理が停滞してしまう。しかしながら、通信システム１ａでは、送信処理と受信処理とをそれぞれ非同期で行うため、タグ通信装置２０ａは通信タグ１０に対するデータの送信が完了する前に、次々と情報処理装置３０から通信タグ１０宛に送信されるデータを受信し一時的に記憶しておくことができ、その後に全て通信タグ１０へ送信できる。そのため、タグ通信装置２０ａが通信タグ１０に対してデータを送信する時間を長く要してしまった場合や、再送処理が必要となった場合であっても、その影響が情報処理装置３０へ及ぶことを防止できる。
【００３３】
〔代理応答処理〕
図３は、代理応答処理が設定された場合のシーケンス図である。代理応答処理が設定されると、制御部２２ａは、通信タグ１０から情報処理装置３０宛のデータを受信する処理（受信処理）と、情報処理装置３０宛のデータを情報処理装置３０へする処理とを非同期で実行する。まず、受信処理について説明する。第一通信部２１が通信タグ１０からデータを受信すると（ステップＳ３０１）、制御部２２ａは、前回のデータ受信から所定時間が経過したか否か判定する（ステップＳ３０２）。所定時間が経過している場合（ステップＳ３０２−ＹＥＳ）、制御部２２ａは、受信されたデータを一時記憶部２３に書き込み、それまで一時記憶部２３に記憶されていた同種のデータを削除する（ステップＳ３０３）。なお、通信タグ１０から初めてデータが受信された場合にも、制御部２２ａは受信されたデータを一時記憶部２３に書き込む。一方、所定時間が経過していない場合（ステップＳ３０２−ＮＯ）、制御部２２ａは、受信されたデータを一時記憶部２３に書き込むことなく廃棄する（ステップＳ３０４）。
【００３４】
次に送信処理について説明する。制御部２２ａは、情報処理装置３０に対して、通信タグ１０から受信したデータを送信するタイミングになると、一時記憶部２３に記憶されているデータを読み出し、第二通信部２４を介して情報処理装置３０へ送信する（ステップＳ４０１）。
【００３５】
代理応答処理を実行することによってタグ通信装置２０ａは以下のような効果を奏する。通信システム１ａでは、情報処理装置３０は従来のＲＦＩＤタグを用いていたシステムにおける情報処理装置３０をそのまま適用することができる。情報処理装置３０がタグ通信装置２０ａを介して通信タグ１０へデータを送信するのに要する時間は、情報処理装置３０がＲＦＩＤタグリーダー／ライターを介してＲＦＩＤタグへデータを送信するのに要した時間よりも長くなる可能性があり、再送の回数も増加する可能性がある。一般的に、情報処理装置３０が通信タグ１０から受信されるデータに基づいて処理を行う場合、通信タグ１０とタグ通信装置２０ａとの間で通信が完了しなければ、情報処理装置３０は処理を進めることができない。しかしながら、通信システム１ａでは、タグ通信装置２０ａは通信タグ１０から受信されたデータを所定時間の間は一時記憶部２３に記憶しておき、記憶されているデータを情報処理装置３０へ送信する。そのため、タグ通信装置２０ａが通信タグ１０からデータを受信する時間を長く要してしまった場合や、再受信処理が必要となった場合であっても、その影響が情報処理装置３０へ及ぶことを防止できる。
【００３６】
〔代理計算処理〕
図４は、代理計算処理が設定された場合のシーケンス図である。代理計算処理が設定されると、制御部２２ａは、情報処理装置３０及び通信タグ１０から計算処理に用いられるデータを受信すると（ステップＳ５０１、ステップＳ５０２）、受信されたデータに基づいて実行すべき計算処理を行う（ステップＳ５０３）。そして、制御部２２ａは、計算処理の結果を、第二通信部２４を介して情報処理装置３０へ送信する（ステップＳ５０４）。
【００３７】
代理計算処理が実行されることにより、通信タグ１０に比べて情報処理能力が高いタグ通信装置２０ａにおいて計算処理を実行するため、通信システム１ａ全体の処理速度を向上させることが可能となる。このような計算は、例えば認証処理において用いられる。
【００３８】
〔代理遅延処理〕
図５は、代理遅延処理が設定された場合のシーケンス図である。以下、代理遅延処理が設定された場合の制御部２２ａの動作について説明する。第二通信部２４が情報処理装置３０からデータを受信すると（ステップＳ６０１）、制御部２２ａは、受信されたデータを一時記憶部２３に書き込む（ステップＳ６０２）。次に、制御部２２ａは、一時記憶部２３に通信タグ１０宛のデータを一時記憶部２３から読み出し、第一通信部２１を介して通信タグ１０へ送信する（ステップＳ６０３）。
【００３９】
次に、制御部２２ａは、ステップＳ６０３において送信したデータについて再送処理が必要か否か判定する（ステップＳ６０４）。再送処理が必要である場合（ステップＳ６０４−ＮＯ）、制御部２３は、情報処理装置３０からデータを受信してから所定時間が経過したか否か判定する（ステップＳ６０５）。所定時間が経過している場合（ステップＳ６０５−ＹＥＳ）、制御部２２ａは、遅延要求を情報処理装置３０へ送信する（ステップＳ６０６）。遅延要求とは、通信タグ１０に対する送信処理が未完了であることを情報処理装置３０に対して通知するためのデータである。遅延要求を受信した情報処理装置３０は、遅延要求を受信してから所定の時間が経過するまでエラー判定を行わない、又はエラーと判断すべき状況になったとしてもエラーと判断しない。
【００４０】
ステップＳ６０５において所定時間が経過していない場合（ステップＳ６０５−ＮＯ）、及びステップＳ６０６において遅延要求を送信した後、制御部２３は、再送すべきデータを一時記憶部２３から読み出し、第一通信部２１を介して通信タグ１０へ送信する（ステップＳ６０３）。一方、再送処理が不要である場合（ステップＳ６０４−ＹＥＳ）、制御部２２ａは、情報処理装置３０に対して、通信タグ１０に対する送信処理が完了したことを表す送信完了応答を送信する（ステップＳ６０７）。
【００４１】
代理遅延処理を実行することによってタグ通信装置２０ａは以下のような効果を奏する。通信システム１ａでは、情報処理装置３０は従来のＲＦＩＤタグを用いていたシステムにおける情報処理装置３０をそのまま適用することができる。情報処理装置３０がタグ通信装置２０ａを介して通信タグ１０へデータを送信するのに要する時間は、情報処理装置３０が従来のＲＦＩＤタグリーダー／ライターを介してＲＦＩＤタグへデータを送信するのに要した時間よりも長くなる可能性があり、再送の回数も増加する可能性がある。一般的に、情報処理装置３０は、ＲＦＩＤタグへデータを送信した後に、所定の時間が経過しても送信完了要求が受信されない場合には、エラーが発生したと判定し、再送などのエラー処理を実行する。そのため、従来のＲＦＩＤシステムに用いられていた情報処理装置３０をそのまま通信システム１ａに適用した場合、上記のような事情により、エラー処理を行う回数が増加してしまうおそれがあった。このような問題に対し、代理遅延処理が実行されることにより、タグ通信装置２０ａが所定のタイミングで情報処理装置３０に遅延要求を送信するため、情報処理装置３０はエラーと判断することが防止され、エラー処理の回数が増大してしまうことを防止できる。
【００４２】
＜変形例＞
通信システム１ａにおいて、情報処理装置３０に相当する機能部が、タグ通信装置２０ａと一体に構成されても良い。例えば、この場合、情報処理装置３０に相当する機能部は、タグ通信装置２０ａと第二通信部２４を介してデータの送受信を行うのではなく、装置内のバスを介してデータの送受信を行うように構成されても良い。
【００４３】
［第二実施形態］
図６は、第二実施携帯の通信システム１ｂのシステム構成を表すシステム構成図である。第一実施形態の通信システム１ａと同じ機能部には図６において図１と同じ符号を付して表し、その説明を省く。
【００４４】
タグ通信装置２０ｂは、制御部２２ａに代えて制御部２２ｂを備える点、一時記憶部２３及び第二通信部２４を備えずにＲＦＩＤ通信部２５を備える点でタグ通信装置２０ａと異なり、他の構成はタグ通信装置２０ａと同様である。
【００４５】
制御部２２ｂは、第一通信部２１によって受信されたデータを、既存のＲＦＩＤ技術による通信で使用されるフォーマットに変換する。なお、第一通信部２１によって受信されたデータがそのままＲＦＩＤ技術で通信可能である場合には、制御部２２ｂはフォーマット変換を行う必要はない。この場合、制御部２２ｂは、第一通信部２１によって受信されたデータを単にＲＦＩＤ通信部２５へ渡す。
【００４６】
ＲＦＩＤ通信部２５は、既存のＲＦＩＤ技術においてＲＦＩＤタグ（ＩＣタグ）に設けられる通信部を用いて構成される。ＲＦＩＤ通信部２５は、制御部２２ｂによってフォーマット変換されたデータを、既存のＲＦＩＤ技術によってＲＦＩＤ通信装置４０へ送信する。
【００４７】
ＲＦＩＤ通信装置４０は、ＲＦＩＤ通信部４１及び制御部４２を備える。ＲＦＩＤ通信部４１は、既存のＲＦＩＤ技術によってＲＦＩＤ通信部２５から送信されるデータを受信する。
【００４８】
制御部４２は、ＲＦＩＤ通信部４１によって受信されたデータに基づいて処理を実行する。制御部４２は、第一実施形態における情報処理装置３０と同様に、どのような処理を行う機能部として実現されても良い。例えば、制御部４２は、例えば上述のドア解錠装置を制御する機能部であっても良いし、上述の改札装置を制御する機能部であっても良いし、上述の改札広告配信装置を制御する機能部であっても良い。
【００４９】
図７は、通信システム１ｂの適用例を表す図である。図７において、通信タグ１０を所持する生体は人間であり、通信タグ１０を所持する人間はタグ通信装置２０ｂの第一通信部２１に接触している。第一通信部２１は、改札のゲート装置を通過する際の経路の床面に設けられる。制御部２２は、第一通信部２１とは異なる筐体に入れられてゲート装置の側面に配置される。ＲＦＩＤ通信部２５は、制御部２２とは異なる筐体に入れられて、ＲＦＩＤ通信部４１と通信可能な位置に設けられる。ＲＦＩＤ通信装置４０は、改札のゲート装置内に設けられ、ＲＦＩＤ通信部４１はゲート装置の入り口側の上面に設けられる。
【００５０】
通信タグ１０を所持する人間が、第一通信部２１が設けられた床面に足を触れると、通信タグ１０の制御部１３は記憶部１１に記憶されるデータを読み出し、通信部１２を介してタグ通信装置２０ｂへデータを送信する。通信部１２によって送信された信号が第一通信部２１によって受信されデータが復元されると、制御部２２ｂは、復元されたデータのフォーマット変化を行い、ＲＦＩＤ通信部２５を介してＲＦＩＤ通信装置４０へデータを送信する。ＲＦＩＤ通信部２５によって送信された信号がＲＦＩＤ通信部４１によって受信されデータが復元されると、制御部４２は、復元されたデータに含まれる識別情報を検出し、識別情報に基づいて認証を行い、ゲートを開閉する。
【００５１】
なお、ＲＦＩＤ通信部４１の表面は、一部がＲＦＩＤ通信部２５によって覆われているものの、他の部分は露出している。そのため、従来のＲＦＩＤタグを所持する人間がゲート装置を通過する場合には、露出しているＲＦＩＤ通信部４１にＲＦＩＤタグを近接させることによって、ゲートを開けることもできる。
【００５２】
このように構成されることにより、従来のＲＦＩＤ通信装置４０をそのまま活用して通信タグ１０を用いた通信システム１ｂを構築することが可能となる。そのため、通信タグ１０の導入に要するコストを削減し、導入に要する準備期間を短縮することが可能となる。また、従来のＲＦＩＤタグを用いることも可能であるため、導入時に通信タグ１０のユーザーとＲＦＩＤタグのユーザーとに対し、同一のＲＦＩＤ通信装置４０によって対応することが可能となる。
【００５３】
以上、この発明の実施形態について図面を参照して詳述してきたが、具体的な構成はこの実施形態に限られるものではなく、この発明の要旨を逸脱しない範囲の設計等も含まれる。
【符号の説明】
【００５４】
１０…通信タグ，  １１…記憶部，  １２…通信部，  １３…制御部，  ２０ａ，２０ｂ…タグ通信装置，  ２１…第一通信部，  ２２…制御部，  ２３…一時記憶部，  ２４…第二通信部，  ２５…ＲＦＩＤ通信部，  ３０…情報処理装置，  ４０…ＲＦＩＤ通信装置，  ４１…ＲＦＩＤ通信部，  ４２…制御部
【図１】
2011097135.tif 000003
【図２】
2011097135.tif 000004
【図３】
2011097135.tif 000005
【図４】
2011097135.tif 000006
【図５】
2011097135.tif 000007
【図６】
2011097135.tif 000008
【図７】
2011097135.tif 000009